(57)【要約】【課題】ファン付温水暖房機における、運転開始時の室温の立ち上がりを改善できるようにする。【解決手段】熱源機からの温水の供給を制御する温水制御弁１２と、暖房機本体内に配置され温水制御弁を介して温水が供給される熱交換器６、９と、空気吸込み口から暖房機本体内に吸い込まれた空気を熱交換器に接触させて温風とし、この温風を温風吹き出し口から吹き出すための送風機１０とを備えたファン付温水暖房機である。そして、運転モードを設定する運転モード設定手段２６と、少なくとも強運転、弱運転及び送風停止を含む複数の固定運転モードを有し、かつ、運転モード設定手段２６により設定された運転モードに基づいて送風機及び温水制御弁を制御する制御部３０とを設けており、制御部は、強運転以外の固定運転モードが設定されている場合、温水制御弁を運転開始から予め定められた所定時間だけ連続開弁状態にする構成としている。【選択図】　　　図５
2004108629.tif 000002
【特許請求の範囲】
【請求項１】
熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、
運転モードを設定する運転モード設定手段と、少なくとも強運転、弱運転及び送風停止を含む複数の固定運転モードを有し、かつ、前記運転モード設定手段により設定された運転モードに基づいて前記送風機及び温水制御弁を制御する制御部とを設け、
前記制御部は、強運転以外の固定運転モードが設定されている場合、前記温水制御弁を運転開始から予め定められた所定時間だけ連続開弁状態にすることを特徴とするファン付温水暖房機。
【請求項２】
熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、
運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部とを設け、
前記制御部は、強運転以外の固定運転モードが設定されている場合、前記温水制御弁を運転開始から予め定められた所定時間だけ連続開弁状態にすることを特徴とするファン付温水暖房機。
【請求項３】
熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、
運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部とを設け、
前記制御部は、強運転以外の固定運転モードが設定されている場合、前記温水制御弁を運転開始から予め定められた所定時間だけ連続開弁状態にすると共に、送風機の風量を強運転と略等しくしたことを特徴とするファン付温水暖房機。
【請求項４】
熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、
運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部と、この制御部に強制立ち上がり運転信号を出力するスイッチ手段とを設け、
前記制御部は前記スイッチ手段がオンされている場合、運転モードの如何に係わらず前記温水制御弁を運転開始から予め定められた所定時間だけ連続開弁状態にすることを特徴とするファン付温水暖房機。
【請求項５】
熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、
運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部と、この制御部に強制立ち上がり運転信号を出力するスイッチ手段とを設け、
前記制御部は前記スイッチ手段がオンされている場合、運転モードの如何に係わらず前記温水制御弁を運転開始から予め定められた所定時間だけ連続開弁状態にすると共に、送風機の風量を強運転と略等しくしたことを特徴とするファン付温水暖房機。
【請求項６】
前記固定運転モードには、強運転と弱運転との間に中運転モードが設けられていることを特徴とする請求項１乃至５の何れかに記載のファン付温水暖房機。
【発明の詳細な説明】
本発明は、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機に関する。
【０００１】
【従来の技術】
一般にこの種のファン付温水暖房機は、希望の温度を設定する温度設定部や室内温度を検出する室温センサや機器を制御する制御部を備えており、そして、室温センサにて検出される室温が温度設定部にて設定された希望の温度となるように自動運転できるものが知られている（例えば、特許文献１参照。）。
【０００２】
ところで、温風暖房機能の他に輻射暖房機能を備えたものでは、上記した自動運転のみならず、送風停止を含めて顧客が送風機の送風能力（回転数）を複数段階に設定できる固定運転を備えたものが望まれているが、このように構成すると、送風停止や送風機の送風能力を弱運転に設定した固定運転で暖房を開始させた場合、運転開始時における室温の立ち上がりが悪くなり、室温が希望の状態に達するのに長時間を要するものである。
【０００３】
【特許文献１】
特開平１０−３８２８６号公報
【０００４】
【発明が解決しようとする課題】
本発明は上述の実情に鑑みてなされたものであり、ファン付温水暖房機における、運転開始時の室温の立ち上がりを改善できるようにすることを目的としている。
【０００５】
【課題を解決するための手段】
請求項１に記載の本発明では、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、運転モードを設定する運転モード設定手段と、少なくとも強運転、弱運転及び送風停止を含む複数の固定運転モードを有し、かつ、前記運転モード設定手段により設定された運転モードに基づいて前記送風機及び温水制御弁を制御する制御部とを設け、前記制御部は、強運転以外の固定運転モードが設定されている場合、前記温水制御弁を運転開始から予め定められた所定時間だけ連続開弁状態にすることを特徴とする。
【０００６】
請求項２に記載の本発明では、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部とを設け、前記制御部は、強運転以外の固定運転モードが設定されている場合、前記温水制御弁を運転開始から予め定められた所定時間だけ連続開弁状態にすることを特徴とする。
【０００７】
請求項３に記載の本発明では、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部とを設け、前記制御部は、強運転以外の固定運転モードが設定されている場合、前記温水制御弁を運転開始から予め定められた所定時間だけ連続開弁状態にすると共に、送風機の風量を強運転と略等しくしたことを特徴とする。
【０００８】
請求項４に記載の本発明では、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部と、この制御部に強制立ち上がり運転信号を出力するスイッチ手段とを設け、前記制御部は前記スイッチ手段がオンされている場合、運転モードの如何に係わらず前記温水制御弁を運転開始から予め定められた所定時間だけ連続開弁状態にすることを特徴とする。
【０００９】
請求項５に記載の本発明では、熱源機からの温水の供給を制御する温水制御弁と、暖房機本体内に配置され前記温水制御弁を介して温水が供給される熱交換器と、空気吸込み口から暖房機本体内に吸い込まれた空気を前記熱交換器に接触させて温風とし、この温風を温風吹き出し口から吹き出すための送風機とを備えたファン付温水暖房機において、運転モードを設定する運転モード設定手段と、少なくとも強運転、弱運転及び送風停止を含む複数の固定運転モードを有すると共に自動運転モードを有し、かつ、前記運転モード設定手段により設定された運転モードに基づいて前記送風機及び温水制御弁を制御する制御部と、この制御部に強制立ち上がり運転信号を出力するスイッチ手段とを設け、前記制御部は前記スイッチ手段がオンされている場合、運転モードの如何に係わらず前記温水制御弁を運転開始から予め定められた所定時間だけ連続開弁状態にすると共に、送風機の風量を強運転と略等しくしたことを特徴とする。
【００１０】
請求項６に記載の本発明では、請求項１乃至５の何れかに記載のファン付温水暖房機において、前記固定運転モードには、強運転と弱運転との間に中運転モードが設けられていることを特徴とする。
【００１１】
【発明の実施の形態】
以下、本発明の第１の実施形態について図面に基づき説明する。図１乃至図４において、１はファン付温水暖房機本体（以下、暖房機本体という。）であり、この暖房機本体１は、被暖房室の室内下部の室壁前方に設置され、その上面部に空気吸込み口２が形成されるとともに、前面下部の斜め下向き傾斜した傾斜面部３には温風吹き出し口４が形成され、そして、前面部はアルミニウム等で作られた放熱板５で構成されている。この放熱板５の背面には、蛇行状に屈曲された熱交換パイプ（第１熱交換器）６が設けられ、この熱交換パイプ６と背面板７との間の暖房機本体１内に形成された送風通路８には、フインアンドチューブ型の熱交換器（第２熱交換器）９と送風機１０が配設されている。前記送風機１０は、ファンモータ１０Ａとクロスフローファン１０Ｂとから構成されており、そのクロスフローファン９Ｂは熱交換器９よりも温風吹き出し口４寄りの送風通路８に配設されている。また、前記空気吸込み口２にはフィルター１１が設けられている。
【００１２】
１２は熱源機からの行き側温水配管（共に図示せず）が接続される温水制御弁としての開閉弁であり、この開閉弁１２は室外に設置される熱源機（図示せず）からの温水供給量を１サイクル当たりの開閉率を変えることにより制御するものである。そして、この開閉弁１２には、内部配管６Ａを介して前記熱交換パイプ６が接続されると共に、この熱交換パイプ６には前記熱交換器９が接続され、そして、この熱交換器９は、継ぎ手１３に接続された戻り側温水配管（図示せず）に接続され、熱交換器９から流出した熱交換後の温水は、再び熱源機に戻されるものである。１４は暖房機本体１の外側の側面部に配置された現在の室内温度を検出する室温センサである。
【００１３】
１６は暖房機本体１の上面一側部に設けられた各種操作を行うための操作部であり、この操作部１６には、運転の入／切を行うための運転スイッチ１７、運転中に点灯する運転表示ランプ１８、設定温度を設定する＋（プラス）スイッチ１９と−（マイナス）スイッチ２０、設定温度、現在温度を表示する複数のデジタル表示器２１、入りタイマースイッチ２２、入りタイマー表示ランプ２３、切りタイマースイッチ２４、切りタイマー表示ランプ２５、運転モードを「自動運転モード」、「強運転モード」、「中運転モード」、「弱運転モード」及び「送風停止運転モード」のうち、何れかの運転モードに選択切替えする運転モード切替えスイッチ（運転モード設定手段）２６及び選択された各運転モードを表示する運転モード表示部２７が設けられている。
【００１４】
そして、運転スイッチ１７を操作して運転が開始するときの初期状態では「自動運転モード」であり、運転モード表示部２７の「自動」のランプ２７Ａが点灯し、運転モード切替えスイッチ２６をオン操作する度に、「自動運転モード」から固定運転モードである「強運転モード」、「中運転モード」、「弱運転モード」、「送風停止運転モード」へと運転モードが順次切り替わり、運転モード表示部２７もそれらの各運転モードに対応するランプ２７Ａ〜２７Ｅが点灯して、運転モード切替えスイッチ２６の操作により設定された運転モードが表示される。また、図２中の２８は、暖房機本体１内に設置された制御基板である。
【００１５】
次に、本発明の制御装置について、図５に示す制御ブロック図に基づいて説明する。３０は前記制御基板２８に搭載されて暖房機の運転を制御する制御部であり、主としてマイクロコンピュータで構成されており、暖房機の運転を統括制御するＣＰＵ、ＲＡＭ（ランダム・アクセス・メモリ）及びＲＯＭ（リ−ド・オンリー・メモリ）などを備え、ＣＰＵは前記ＲＡＭに記憶された各種データ、例えば、開閉弁１２及び送風機１０の制御データに基づき、前記ＲＯＭに格納されたプログラムに従って、機器の運転動作に係る動作を統括制御する。
【００１６】
そして、前記制御部３０の入力側には、前記した各スイッチ１７、１９、２０、２２、２４、２６及び室温センサ１４などが接続され、その出力側にはデジタル表示器２１、各表示ランプ１８、２３、２５、運転モード表示部２７の各ランプ２７Ａ〜２７Ｅ、開閉弁１２及び送風機１０のファンモータ１０Ａなどが接続されている。
【００１７】
以上の構成により、以下記憶装置であるＲＡＭに格納された図６及び図７の制御データに基づき、その動作について説明する。先ず、使用者が暖房機の運転を開始させるために運転スイッチ１７を押圧すると、運転開始がされるときの初期状態は「自動運転モード」であり、この運転スイッチ１７の押圧後に＋（プラス）スイッチ１９や−（マイナス）スイッチ２０を操作して設定温度を例えば、１８℃に設定する。
【００１８】
すると、制御部３０は室温センサ１４にて検出される現在温度と前記した設定温度との偏差に基づいて、開閉弁１２のオン、オフを一定周期（２０分間）で繰り返し制御すると共に送風機１０の風量を制御する。即ち、開閉弁１２が、図６に示すようなオンする時間とオフする時間となるようにその開閉弁１２を制御すると共に送風機１０が図６に示される風量となるように制御するものである。
【００１９】
例えば、今、室温センサ１４が１５℃を検出している場合には、現在温度１５℃から設定温度１８℃を引いた温度がマイナス３℃となり、マイナス２．０℃より低いので、制御部３０は開閉弁１２のオンする時間が２０分間、オフする時間が０分間、即ちオン／オフの１サイクルが２０分間であるので、１サイクルの全時間がオンとなるように開閉弁１２を制御する。また、制御部３０は、送風機１０のファンモータ１０Ａを約１５００ｒｐｍで回転させて風量が強となるように送風機１０を制御する。
【００２０】
従って、開閉弁１２が開いて熱交換パイプ（第１熱交換器）６及び熱交換器（第２熱交換器）９に熱源機（図示せず）からの温水が供給循環される共に開閉弁１２及び送風機１０を「自動運転モード」で運転させる。具体的には、空気吸込み口２から吸込まれた室内空気が主として熱交換器９にて熱交換されて温度上昇した後、温風吹き出し口４から被暖房室に吹き出されて温風暖房が行われる一方、熱交換パイプ６からの熱が放熱板５に伝導し、この放熱板５からの輻射暖房も同時に行なわれる。
【００２１】
そして、以上のように暖房運転がなされ、室温センサ１４が１６℃を検出すると、現在温度１６℃から設定温度１８℃を引いた温度がマイナス２℃となり、マイナス２．０℃以上からマイナス１．５℃未満となるので、制御部３０は開閉弁１２のオンする時間が１８分間、オフする時間が２分間となるように開閉弁１２を制御するが送風機１０の風量は強のままである。そして、開閉弁１２のオフ時間の間は、開閉弁１２が閉じられて熱交換パイプ６や熱交換器９への温水循環が停止状態となる。
【００２２】
以上のように、制御部３０は現在温度と設定温度との偏差に基づいて、開閉弁１２がオンする時間とオフする時間とが図６に示すようになるように制御するものであり、偏差が０．０℃以上からマイナス０．５℃未満となると、オン時間とオフ時間がそれぞれ１０分間づつとなり、プラス０．５℃以上になると、オフする時間の方が長くなり、また、送風機１０の風量は強から中に切替わる。
【００２３】
次に、「強運転モード」での動作について説明する。使用者が暖房機の運転を開始させるために運転スイッチ１７を押圧して、運転切替えスイッチ２６を「自動運転モード」の状態から１回押圧すると、図７に示すように、運転モードが強い放熱能力で、かつ、送風量の強い「強運転モード」に変更される。この場合、制御部３０は現在室温と設定温度との偏差に関係無く、開閉弁１２のオンする時間が１８分間、オフする時間が２分間となるように、開閉弁１２を１サイクル２０分として繰り返し開閉制御すると共に、送風機１０の風量が強となるようにファンモータ１０Ａを制御する。このとき、前記開閉弁１２がオフ時間の間は、開閉弁１３を閉じるように制御し、熱交換パイプ６や熱交換器９への温水循環が停止される。
【００２４】
次に、「中運転モード」での動作について説明する。使用者が暖房機の運転を開始させるために運転スイッチ１７を押圧して、運転切替えスイッチ２６を「自動運転モード」の状態から２回押圧すると、運転モードが中程度の放熱能力で、かつ、送風機１０のファンモータ１０Ａが約１０００ｒｐｍで回転されて風量が中の「中運転モード」に変更される。この場合、制御部３０は、運転開始から予め定められた約４０分間、開閉弁１２を連続開弁状態とすると共に送風機１０の風量を「強運転モード」と略等しい風量、即ち、強の風量とする立ち上がり運転を実行し、その所定時間経過後は、通常の「中運転モード」で暖房運転を行なう。ここで通常の「中運転モード」による暖房運転では、制御部３０は、現在室温と設定温度との偏差に関係無く、開閉弁１２のオンする時間が１０分間、オフする時間が１０分間となるように、開閉弁１２を１サイクル２０分として繰り返し開閉制御すると共に、送風機１０の風量が中となるようにファンモータ１０Ａを制御する。
【００２５】
次に、「弱運転モード」での動作について説明する。使用者が暖房機の運転を開始させるために運転スイッチ１７を押圧して、運転切替えスイッチ２６を「自動運転モード」の状態から３回押圧すると、運転モードが弱い放熱能力で、かつ、送風機１０のファンモータ１０Ａが約５００ｒｐｍで回転されて風量が弱の「弱運転モード」に変更される。
【００２６】
この場合、制御部３０は、運転開始から予め定められた約６０分間、開閉弁１２を連続開弁状態とすると共に送風機１０の風量を「強運転モード」と略等しい風量、即ち、強の風量とする立ち上がり運転を実行し、その所定時間経過後は、通常の「弱運転モード」で暖房運転される。ここで通常の「弱運転モード」による暖房運転では、制御部３０は、現在室温と設定温度との偏差に関係無く、開閉弁１２のオンする時間が２分間、オフする時間が１８分間とな開閉弁１２を１サイクル２０分として繰り返し開閉制御すると共に送風機１０の風量が弱となるようにファンモータ１０Ａを制御する。
【００２７】
次に、「送風停止運転モード」での動作について説明する。使用者が暖房機の運転を開始させるために運転スイッチ１７を押圧して、運転切替えスイッチ２６を「自動運転モード」の状態から４回押圧すると、運転モードが強い放熱能力で、かつ、送風機１０が停止された状態に固定される「送風停止運転モード」に変更される。
【００２８】
この場合、制御部３０は現在室温と設定温度との偏差に関係無く、開閉弁１２のオンする時間が２０分間、オフする時間が０分間となるよう制御する。即ち、開閉弁１２は運転開始から開弁状態が継続されて輻射暖房が行なわれると同時に、温風吹き出し口４が空気入り口になり、また、空気吸込み口２が空気吐出口になる上昇方向の送風通路８の空気の流れによる自然対流暖房が行なわれる。
【００２９】
以上のように、上述の第１の実施形態によれば、使用者により「自動運転モード」が選択設定された場合、制御部３０は設定温度と室温センサによる検出温度との偏差に応じて、予め格納された制御データに基づき、開閉弁１２のオン、オフを例えば、２０分間の一定周期で繰り返し制御するようにしたから、暖房時の室温コントロールが良好となり、しかも、「強運転モード」や「中運転モード」或いは「弱運転モード」等の固定運転モードも設定可能であり、使用者の要求に応じた使い勝っての良い温水利用の輻射と温風による暖房運転が行なえる。
【００３０】
また、前記した固定運転モードにおいて、「強運転モード」以外の「中運転モード」や「弱運転モード」の運転モードが設定された場合、運転開始から予め定められた所定時間（中運転モードでは約４０分間、弱運転モードでは約６０分間）、開閉弁１２を連続開弁状態とすると共に、送風機１０の風量を「強運転モード」と略等しい風量、即ち、強の風量とする立ち上がり運転を実行し、その所定時間経過後は、設定された通常の「中運転モード」や「弱運転モード」で温風と輻射による暖房運転を行なうので、固定運転モードにおける「強運転モード」以外の運転モードが設定された場合の室温の立ち上がりを速め、運転開始時の室温の立ち上がりを改善することが可能となった。
【００３１】
次に、本発明の第２の実施形態を図８及び図９に基づいて説明するが、第１の実施形態と同一構成部分は同一符号を付して説明を省略する。図８は操作部１６を示す図であり、図９は制御ブロック図を示す。この第２の実施形態の操作部１６において、前記した第１の実施形態と異なる点は、前記した操作部１６に、押圧操作することにより制御部３０へ強制立ち上がり運転信号を出力する強制立ち上がりスイッチ（スイッチ手段）３３と、このスイッチ３３がオン状態の時に点灯してその旨を表示する強制立ち上がり表示ランプ３４とを設けている点である。また、制御ブロック図においては、強制立ち上がりスイッチ３３が制御部３０の入力側に、立ち上がり表示ランプ３４が制御部３０の出力側にそれぞれ追加接続されている点である。
【００３２】
次に、上記第２の実施形態の動作を説明すると、使用者が強制立ち上がりスイッチ３３を押圧操作すると、この操作により、強制立ち上がり運転信号が制御部３０に入力され、その状態が制御部３０に記憶される。ここで、運転スイッチ１７を押圧すると、運転表示ランプ１８と表示ランプ３４が点灯し、強制立ち上がり運転条件下においても、運転開始がされるときの初期状態は「自動運転モード」であり、この運転スイッチ１７の押圧後に＋（プラス）スイッチ１９や−（マイナス）スイッチ２０を操作して設定温度を例えば、１８℃に設定する。
【００３３】
すると、制御部３０は運転開始から予め定められた約３０分間、開閉弁１２を連続開弁状態とすると共に、送風機１０の風量を強とする立ち上がり運転を実行し、その所定時間経過後は、通常の「自動運転モード」で暖房運転を行なう。この通常の「自動運転モード」では、第１の実施形態と同様に、図６に示すようなオンする時間とオフする時間となるように開閉弁１２を開閉制御すると共に、送風機１０の風量を制御するものである。
【００３４】
次に、強制立ち上がり運転条件下での「強運転モード」の動作について説明すると、制御部３０は運転開始から予め定められた約３０分間、開閉弁１２を連続開弁状態とすると共に、送風機１０の風量を強とする立ち上がり運転を実行し、その所定時間経過後は、第１の実施形態と同様に、図７に示すようなオンする時間とオフする時間となるように開閉弁１２を開閉制御すると共に、送風機１０の風量を強とする通常の「強運転モード」で暖房運転を行なう。
【００３５】
次に、強制立ち上がり運転条件下での「中運転モード」の動作について説明すると、制御部３０は運転開始から予め定められた約４０分間、開閉弁１２を連続開弁状態とすると共に送風機１０の風量を強とする立ち上がり運転を実行し、その所定時間経過後は、第１の実施形態と同様に、図７に示すようなオンする時間とオフする時間となるように開閉弁１２を開閉制御すると共に、送風機１０の風量を中とする通常の「中運転モード」で暖房運転を行なう。
【００３６】
次に、強制立ち上がり運転条件下での「弱運転モード」の動作について説明すると、制御部３０は運転開始から予め定められた約６０分間、開閉弁１２を連続開弁状態とすると共に送風機１０の風量を強とする立ち上がり運転を実行し、その所定時間経過後は、第１の実施形態と同様に、図７に示すようなオンする時間とオフする時間となるように開閉弁１３を開閉制御するとともに、送風機１０の風量を弱とする通常の「弱運転モード」で暖房運転を行なう。
【００３７】
以上のように、この第２の実施形態によれば、強制立ち上がりスイッチ３３をオンした状態の強制立ち上がり運転条件下では、「自動運転モード」、「強運転モード」、「中運転モード」、「弱運転モード」のうちの、如何なる運転モードが選択設定されていても、制御部３０は、暖房機の運転開始時に、約３０〜６０分の予め定められた所定時間、開閉弁１２を連続開弁状態とすると共に送風機１０の風量を強運転モードと略等しくする強制立ち上がり運転を実行し、その後、設定された通常の各運転モードで開閉弁１２を開閉制御するため、如何なる運転モードが設定されていても、強制立ち上がりスイッチをオン状態にすれば、運転暖房開始時における室温の立ち上がりを速め、運転開始時の室温の立ち上がりを改善できる。
【００３８】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【００３９】
【発明の効果】
以上のように本発明は、複数の運転モードを選択的に設定し得るようにして、必要に応じた温風や輻射による暖房運転が行なえるようにしつつ、運転開始時の室温の立ち上がりを改善し得るファン付温水暖房機を提供できる。
【図面の簡単な説明】
【図１】ファン付温水暖房機の斜視図である。
【図２】一部を切欠したファン付温水暖房機の正面図である。
【図３】ファン付温水暖房機の縦断側面図である。
【図４】操作部の平面図である。
【図５】本ファン付温水暖房機の制御ブロック図である。
【図６】自動運転モードに用いる制御データを示す図である。
【図７】固定運転モードに用いる制御データを示す図である。
【図８】第２の実施形態の操作部を示す平面図である。
【図９】同じく第２の実施形態の制御ブロック図である。
【符号の説明】
１　　ファン温水暖房機本体
２　　空気吸込み口
４　　温風吹き出し口
５　　放熱板
６　　熱交換パイプ（熱交換器）
９　　フィンアンドチューブ型の熱交換器（熱交換器）
１０　　送風機
１２　　開閉弁（温水制御弁）
１４　　室温センサ
１６　　操作部
１７　　運転スイッチ
２６　　運転切替えスイッチ（運転モード設定手段）
２７　　運転モード表示部
３０　　制御部
３３　　強制立ち上がり運転スイッチ（スイッチ手段）
３４　　表示ランプ
【図１】
2004108629.tif 000003
【図２】
2004108629.tif 000004
【図３】
2004108629.tif 000005
【図４】
2004108629.tif 000006
【図５】
2004108629.tif 000007
【図６】
2004108629.tif 000008
【図７】
2004108629.tif 000009
【図８】
2004108629.tif 000010
【図９】
2004108629.tif 000011